(57)【特許請求の範囲】
【請求項１】
メモリ処理装置に装着され、データが書き込まれるメモリ媒体において、
不揮発性のフラッシュメモリからなるメインメモリと、
前記メインメモリに書き込まれるデータの該メインメモリ内での物理的位置を示す物理番号が、対応する論理番号順に並べて書き込まれる論理管理テーブルと、
前記メインメモリの各物理的位置が使用不可か否かを示すフラグおよび前記メインメモリの各物理的位置に対応する論理番号が、物理番号順に並べられる物理管理テーブルと、
を備え、
前記物理管理テーブルは、前記メインメモリの物理的位置を管理するためのテーブルであり、前記物理管理テーブルに基づいて、前記メインメモリの物理的位置が使用可能か否かが判断され、
前記論理管理テーブルは、前記論理番号によって管理されるデータが使用している前記メインメモリ上での物理的位置を表し、前記論理管理テーブルによって、該論理番号から前記物理番号への変換が行われることを特徴とするメモリ媒体。
【請求項２】
前記論理管理テーブルが管理する前記物理番号は、ブロック番号であることを特徴とする請求項１記載のメモリ媒体。
【請求項３】
前記論理管理テーブルが管理する前記物理番号は、セクタ番号であることを特徴とする請求項１記載のメモリ媒体。
【請求項４】
不揮発性のフラッシュメモリからなる第１のメモリと、第２のメモリとを有し、
前記第２のメモリは、前記第１のメモリに書き込まれるデータの該第１のメモリ内での物理的位置を示す物理番号が、対応する論理番号順に並べて書き込まれる論理管理テーブルと、
前記第１のメモリの各物理的位置が使用不可か否かを示すフラグおよび前記第１のメモリの各物理的位置に対応する論理番号が、物理番号順に並べられる物理管理テーブルと
を記録し、
前記物理管理テーブルは、前記メインメモリの物理的位置を管理するためのテーブルであり、前記物理管理テーブルに基づいて、前記メインメモリの物理的位置が使用可能か否かが判断され、
前記論理管理テーブルに基づいて、該論理番号から前記物理番号への変換が行なわれることを特徴とするメモリ処理システム。
【請求項５】
前記論理管理テーブルが管理する前記物理番号は、ブロック番号であることを特徴とする請求項４記載のメモリ処理システム。
【請求項６】
前記論理管理テーブルが管理する前記物理番号は、セクタ番号であることを特徴とする請求項４記載のメモリ処理システム。
【請求項７】
不揮発性のフラッシュメモリからなるメインメモリに記録されるデータを管理する管理方法において、
前記メインメモリに書き込まれるデータの該メインメモリ内での物理的位置を示す物理番号が、対応する論理番号順に並べて書き込まれる論理管理テーブルと、
前記メインメモリの各物理的位置が使用不可か否かを示すフラグおよび前記メインメモリの各物理的位置に対応する論理番号が、物理番号順に並べられる物理管理テーブルと、
を設け、
前記物理管理テーブルは、前記メインメモリの物理的位置を管理するためのテーブルであり、前記物理管理テーブルに基づいて、前記メインメモリの物理的位置が使用可能か否かが判断され、
前記論理管理テーブルは、前記論理番号によって管理されるデータが使用している前記メインメモリ上での物理位置を表し、前記論理管理テーブルによって、該論理番号から前記物理番号へアドレス変換し、前記メインメモリに記録されたデータを管理することを特徴とするデータ管理方法。
【発明の詳細な説明】
【０００１】
【発明の属する技術分野】
本発明は電子スチルカメラ等に用いて有用なＩＣメモリカードの如きメモリ媒体及びメモリ処理システム並びにデータ管理方法に関する。
【０００２】
【従来の技術】
従来からスチルカメラやＶＴＲ一体型のカメラ等では撮像情報をカメラ内に実装したＩＣメモリカードに格納する様に成されている。このＩＣメモリカードは半導体集積回路等のメモリ媒体を合成樹脂型外筐体内に埋設した構造と成され、半導体集積回路としてはフラッシュＥＥＰＲＯＭ（電気的消去可能型プログラマブルＲＯＭ）等が用いられている。
【０００３】
この様な一括消去が可能なフラッシュＥＥＰＲＯＭとしてはＮＯＲ型フラッシュやＮＡＮＤ型ＥＥＰＲＯＭ等が知られている。
【０００４】
【発明が解決しようとする課題】
上述の様にフラッシュＥＥＰＲＯＭを用いたＩＣメモリカードで書き換えを行なう場合に、この不揮発性半導体メモリチップは消去依存性及び使用回数の依存性が大きく、例えば書き込み回数が多くなったり、消去回数が増加すると徐々に劣化し書き込み時間や消去時間が長くなる欠点があった。この為にＩＣメモリカード全体の書き換え速度が遅くなる問題があった。
【０００６】
又、ＩＣメモリカードでは最も書き換え回数やチップの劣化の激しいセクタによって寿命が制限され、ＩＣメモリカード中に使用の少ないセクタがあって充分に使用可能であっても利用されないまま廃棄されていた。
【０００８】
本発明は叙上の問題点を解消したメモリ媒体及びメモリ処理装置を提供しようとするもので、ＩＣメモリカード等でデータの書き換えが一部に偏らない様に、メインメモリをセクタ毎またはブロック毎で管理することを目的とする。
【０００９】
【課題を解決するための手段】
第１の本発明は、メモリ処理装置に装着され、データが書き込まれるメモリ媒体において、不揮発性のフラッシュメモリからなるメインメモリと、メインメモリに書き込まれるデータの該メインメモリ内での物理的位置を示す物理番号が、対応する論理番号順に並べて書き込まれる論理管理テーブルと、メインメモリの各物理的位置が使用不可か否かを示すフラグおよびメインメモリの各物理的位置に対応する論理番号が、物理番号順に並べられる物理管理テーブルと、を備え、物理管理テーブルは、メインメモリの物理的位置を管理するためのテーブルであり、この物理管理テーブルに基づいて、上記メインメモリの物理的位置が使用可能か否かが判断され、論理管理テーブルは、論理番号によって管理されるデータが使用しているメインメモリ上での物理的位置を表し、この論理管理テーブルによって、該論理番号から前記物理番号への変換が行われることを特徴とするメモリ媒体としたものである。
【００１０】
第２の本発明は、不揮発性のフラッシュメモリからなる第１のメモリと、第２のメモリとを有し、第２のメモリは、第１のメモリに書き込まれるデータの該第1のメモリ内での物理的位置を示す物理番号が、対応する論理番号順に並べて書き込まれる論理管理テーブルと、第１のメモリの各物理的位置が使用不可か否かを示すフラグおよび第１のメモリの各物理的位置に対応する論理番号が、物理番号順に並べられる物理管理テーブルとを記録し、物理管理テーブルは、メインメモリの物理的位置を管理するためのテーブルであり、この物理管理テーブルに基づいて、メインメモリの物理的位置が使用可能か否かが判断され、論理管理テーブルに基づいて、該論理番号から物理番号への変換が行なわれることを特徴とするメモリ処理システムとしたものである。
【００１１】
第３の本発明は、不揮発性のフラッシュメモリからなるメインメモリに記録されるデータを管理する管理方法において、メインメモリに書き込まれるデータの該メインメモリ内での物理的位置を示す物理番号が、対応する論理番号順に並べて書き込まれる論理管理テーブルと、メインメモリの各物理的位置が使用不可か否かを示すフラグおよびメインメモリの各物理的位置に対応する論理番号が、物理番号順に並べられる物理管理テーブルと、を設け、物理管理テーブルは、メインメモリの物理的位置を管理するためのテーブルであり、この物理管理テーブルに基づいて、メインメモリの物理的位置が使用可能か否かが判断され、論理管理テーブルは、論理番号によって管理されるデータが使用しているメインメモリ上での物理位置を表し、この論理管理テーブルによって、該論理番号から物理番号へアドレス変換し、メインメモリに記録されたデータを管理することを特徴とするデータ管理方法としたものである。
【００１６】
本発明のメモリ媒体及びメモリ処理システム並びにデータ管理方法に依ると、メモリ媒体はセクタ又はブロック単位で書き込み消去可能で、セクタ又はブロックの使用状況を示す管理情報としての論理番号や物理番号を記憶するようにし、メモリ媒体の所定領域に書き込まれているデータの書き換えが一部に偏らない様に不良欠陥セクタ、劣化ブロック、劣化セクタを用いない様にしたのでメモリ媒体内のすべてのブロックやセクタを均等に利用することが出来ると共に管理テーブルの容量を小さくすることが出来る。
【００１９】
更に本発明のメモリ媒体及びメモリ処理システム並びにデータ管理方法によると、メモリ媒体のセクタの所定領域に論理番号順に物理番号を記憶した管理テーブルを設けたので、管理テーブルの容量ヲ小さくすることが出来て、これに書き込まれた再書き込み回数等のデータを読み出すと共に不揮発性メモリの状態を検出して所定領域にその状態に応じたデータの書き込みを行なう様に成したので書き込み速度は低下せず、長寿命なメモリ媒体に書き込み消去可能なメモリ媒体及びメモリ処理システム並びにデータ管理方法が得られる。
【００２０】
【発明の実施の形態】
以下、本発明のメモリ媒体及びメモリ処理システム並びにデータ管理方法を図１乃至図７について詳記する。
【００２１】
先ず本例のメモリ媒体及びメモリ処理システム並びにデータ管理方法として図５Ａ，Ｂ及び図６Ａ，ＢによってＩＣメモリカード及びカードライタ（カード記録／読み取り装置）について説明する。図５Ａは例えばスチルカメラ等のカードライタの全体的斜視図、図５ＢはカードライタへＩＣメモリカードを挿入する状態を示す平面図、図６ＡはＩＣメモリカードの平面図、図６Ｂは表示部の表示状態説明図である。
【００２２】
図５Ａで１０２はカードライタであり、筐体１０９の前面に形成された挿入口１１０を介してＩＣメモリカード１０１を挿脱自在に構成することで、カードライタ１０２内でＩＣメモリカード１０１へのデータ書き込み読み出し及び一括消去等が行なわれる。
【００２３】
ＩＣメモリカード１０１内には不揮発性のフラッシュＥＥＰＲＯＭとこれらＥＥＰＲＯＭに記憶されている情報を維持する電源と必要に応じてＣＰＵ等の演算手段を含み、略長方形状のＩＣメモリカード１０１の一端部の短辺側にはカードライタ１０２内に設けられた、例えば接栓座１０５とコネクトされる複数に分割され、例えば最大１０分割された接栓１０８を有し、更にカードの所定位置にサーマルラベル１０７を貼着する。このサーマルラベルに代わってサーマルインデックスペイントによって所定形状にマーキングを施す様にしてもよい。
【００２４】
このサーマルラベル１０７或はサーマルインデックスペイントは数十度乃至数百度の温度で不可逆的な色変化、例えば白色から黒色に変化する様なものである。
【００２５】
この様なサーマルラベル１０７を加熱するためにカードライタ１０２の挿入口１１０の上側、即ち、筐体１０９の上面板の裏側に図５Ｂ図示の如くサーマルヘッド１０４を並設する。
【００２６】
ＩＣメモリカード１０１の接栓１０８がカードライタ１０２内の接栓座１０５に嵌め合されて筐体１０９のカードホルダ部１０３にＩＣメモリカード１０１が全部或は一部挿入された時にカードライタ１０２側に並設したサーマルヘッド１０４がＩＣメモリカード１０１上に貼着させたサーマルラベル１０７上に対向する様に成して、ＩＣメモリカードがカードライタ１０２の挿入口１１０に挿入されて、データの書き込み或は読み出し、消去等が行なわれる毎にＩＣメモリカード内のＥＥＰＲＯＭには影響を与えない様にしつつサーマルラベルを変色させる様に成す。
【００２７】
かくすれば図６Ａの様にＩＣメモリカード１０１の表面に貼着したサーマルラベル１０７の上に例えば使用中、劣化軽、劣化重、使用済等の表示文字１０６を設けておけば色の変化度合からＩＣメモリカードの劣化状態を一目で見分けることが可能と成る。
【００２８】
図６Ａはサーマルラベル１０７の上部に表示文字１０６を記入したラベルを貼着するか、表示文字１０６を彫設した例であるが、図６Ｂの様に、サーマルラベル１０７が未使用状態であれば白色であったものが、使用されるとサーマルラベル１０７上に表示文字１０６が“使用中”の様に浮き出る様に構成させることも出来る。
【００２９】
上述のＩＣメモリカード１０１の劣化表示方法としてはサーマルラベル１０７を用いたが図７の様に箔状のヒューズ等を用いてもよい。
【００３０】
図７はＩＣメモリカード１０１の表示部の一部断面を示すもので、ＩＣメモリカード１０１の上部ケース３０１の一部に透明窓３０２を設け、ユーザが内部を見ることが出来る様に構成する。透明窓３０２の下端には箔状のヒューズ３０３を有し、このヒューズ３０３の両端は端子３０５に接続され、端子３０５はリード線３０６に接続されている。このリード線３０６はカードライタ１０２からの電流源に接続されている。ヒューズ３０３の下端、即ちＩＣメモリカード１０１の下部ケース或は基板３０７上には“使用中”劣化軽等の文字表示の成されたマーク３０４が設けられている。
【００３１】
この様なＩＣメモリカード１０１をカードライタ１０２内に挿入すると初期状態ではヒューズ３０３で隠れていたマーク３０４はカードライタ１０２の電流源から供給される電源がリード線３０６、端子３０５を通じてヒューズ３０３に流れてヒューズ３０３を切断すると、マーク３０４の例えば「使用中」の文字表示を透明窓３０２を介してユーザは見ることが出来る。
【００３２】
上述の様にＩＣメモリカード１０１の劣化状態をＩＣメモリカード１０１の表面に表示するためには、ＩＣメモリカード１０１のメモリチップの劣化状態、例えば再書き込み回数及び消去時間等を判断し、この判断結果に基づいてサーマルラベル１０７への加熱による変更を行うと共にＩＣメモリカード１０１内の所定のアトリビュートメモリ（属性メモリ）の書き換えを行なう様にする。
【００３３】
この為にＩＣメモリカード１０１内のアトリビュートメモリにセクタ或はブロック毎の管理テーブルを設けて書き換えを行なう。
【００３４】
この様な管理テーブルの一例を図１乃至図４で説明する。図２はＩＣメモリカード１０１内のメモリ配置例を示すもので、アトリビュートメモリ１１１、メインメモリ１１２、ＣＰＵ１１３、接栓１０８並に図示しない表示部等で構成されている。
【００３５】
図３Ａ，Ｂ，Ｃは本例の管理テーブルエリアとメインテーブルエリアの一構成例を示すものであり、図３Ａに示すものは論理セクタテーブルエリア１を、図３Ｂは物理セクタ管理テーブルエリア２を図３Ｃはメインメモリエリア３を示している。
【００３６】
図３Ａに示す論理セクタテーブルエリア１は、論理セクタ番号から物理セクタ番号への変換テーブルである。実際にメモリエリアとして使用するセクタ数＝Ｎの分のテーブルがある。この図３Ａでは、Ｎ＝１２８として説明すると論理セクタテーブルエリア１において、例えば１番と２番の論理セクタはそのまま１、２番の物理セクタを使用しているが、３番の論理セクタは１２９番の物理セクタを使用していることを表している。
【００３７】
図３Ｂに示す物理セクタ管理テーブルエリア２は、実際の物理セクタ１つずつの情報を管理するためのテーブルである。
【００３８】
図３Ｃに示すメインメモリエリア３は、実際のデータを記録する部分である。図３Ｃで１つのセクタ３−１〜３−Ｍが書き込みの単位で、１つの消去ブロックをいくつかのセクタに分けてもよいし、１セクタでもよい。メインメモリエリア３は、論理セクタの数Ｎ個より多いか等しい数のＭ個のセクタから構成され、Ｍ−Ｎ個のセクタが予備セクタ或は不使用セクタ、欠陥セクタである。
【００３９】
物理セクタ管理テーブルエリア２の詳細例を図１に示す。物理セクタ管理テーブルエリア２には、物理セクタの数＝Ｍ個分のテーブルが物理セクタの番号順に並んでいて、その内容は、論理セクタ番号４、書き換え使用回数（ユーザが書き込んだ回数）５、再書き込み回数６、消去繰り返し回数（１つのブロック消去のための繰り返し回数）７、使用状況フラグ８等が書き込まれる。
【００４０】
再書き込み回数６は、１回の書き込みで支障なく書ければ１、書き込みエラーで書き込みを繰り返せばその回数を書けば良い。書き込み単位がセクタサイズより小さい場合は、そのセクタ内で、最も多かった回数にすれば良い。
【００４１】
使用状況フラグ８は、例えば、未使用：０、使用中：１、一時使用中止：２、使用不可：２５５等にしてセクタごとの管理を行なう。
【００４２】
書き換え使用回数５及び消去繰り返し回数７は書き換え及び消去回数を累計して行けばよい。
【００４３】
スチルカメラ等の撮像データをＩＣメモリカードに記憶させる場合では画像データはメモリエリアの先頭から書くことがほとんどであると考えられるので、メモリエリアの先頭に近い部分程、劣化が早く、末尾の方は使用頻度が少なくなることに成る。
【００４４】
図１では、例えば５番の物理セクタは、書き換え使用が多く、再書き込み回数が規定の２５回を越えて欠陥セクタとなったため、交換されている。この時は、論理セクタ番号５をＮよりも大きい数にしておけば良い。
【００４５】
８番の物理セクタは、書き換え使用が多く、欠陥ではないが再書き込み回数が２になり、さらに消去繰り返し回数も２６と多くなったので、書き込み時間が遅い。このように、遅いセクタが幾つもあるような使用状態では、全体の書き込みスピードが非常に遅くなってしまい、例えばスチルカメラでの被写体を連続的に撮影する連写性能が規格値よりも下がってしまう。そこで、１３０番の物理セクタと入れ換えて、書き込み性能が下がらないようにすることが出来る。
【００４６】
図１では、１３１番からＭ番までが未使用のセクタであるが、未使用セクタがなくなっても、まだ実際の書き込みが行なわれていないセクタがあれば、遅くなったセクタと入れ換えて、劣化がメインメモリエリア全体に均等に進む様に出来る。これにより、メインメモリエリア全体の使用寿命を延ばすことが出来る。
【００４７】
欠陥セクタの数が多くなり、始めの論理セクタ数よりも使用できるセクタ数が少なくなった場合は、論理セクタテーブル１のテーブル数を減らすことにより、メモリ容量が減っても、残りのメモリエリアを同じ様に使うことが出来る。
【００４８】
この様に管理テーブルに書かれた再書き込み回数６、消去繰り返し回数７或は使用状況フラグ８をＣＰＵ１１３がセクタ毎にみて書き込みや消去が遅いセクタを選択し、未使用のセクタ或は予備のセクタと交換することでＩＣメモリカードへの全体的書き込み速度の低下を防ぐことが出来る。又、書き換えが一部のセクタに偏らないので全体のセクタを均等に使えるのでトータルの書き換え回数を増やすことが可能と成る。
【００４９】
上記したＩＣメモリカード１０１のサーマルラベル１０７への書き込み判定条件の流れ図を図４で説明する。フラッシュＥＥＰＲＯＭの場合は書き換え可能回数は１万回とか１０万回とか云う保証が成されるが、使用環境によって劣化の状況は大きく変化し、消去と再書き込み回数の依存性が大きいのでテレホンカードの様に一定度数を計数して表示させる様なことが出来ない。そこでＩＣメモリカードのチップの劣化状態の判断を予め管理テーブルに記憶して置いた再書き込み回数と消去繰り返し回数等を基準に行なう様にする。
【００５０】
図４は劣化判断の流れ図で第１ステップＳＴ1 の書き込み処理ＳＴ1 は通常行なわれるデータの書き込みであり、この第１ステップＳＴ1 には物理セクタ管理テーブルエリア２内の使用状況フラグ８のサーチを行なった後に、最適なフラグの選択を行ない、この使用状況フラグ８、書き換え使用回数５、再書き込み回数６、消去繰り返し回数７等の書き込みが行なわれる。
【００５１】
この様な第１ステップＳＴ1 での書き込み中にメモリセル欠陥のためエラー（規定の回数の再書き込みを行っても書けない）が起こったか否かを第２ステップＳＴ2 で判断する。
【００５２】
第２ステップＳＴ2 で欠陥があるＹＥＳであれば第３ステップＳＴ3 に進めて図６Ａに示すサーマルラベル１０７の「使用済」部分をマーキングする様にサーマルヘッド１０４を加熱して変色させユーザに使用済ＩＣメモリカードであることが一目で解る様にする。
【００５３】
次の第４ステップＳＴ4 でアトリビュートメモリ１１１内の物理セクタ管理テーブルエリア２内に使用不可２５５等を書き込んでこのＩＣメモリカードが間違って使用されない様にする。
【００５４】
第２ステップＳＴ2 で欠陥がないＮＯの場合は、第５ステップＳＴ5 の書き込み速度判定処理に進められる。この書き込み速度判定処理では再書き込み回数６や消去繰り返し回数７を基にカードの劣化状態を判断する。具体的な回数はＩＣメモリカードに使用されているチップの種類によって変わって来るので種類毎に判断データをカードライタ１０２に持つ必要がある。実用的には使用した時の書き込み回数、消去時間を基準とすれば充分である。或はＩＣメモリカード１０１のアトリビュートメモリ１１１に夫々の基準データをメーカ側で予め書き込んでおいて、カードライタで読み取る様にしても良い。
【００５５】
いずれにしろ、第６ステップＳＴ6 に示す様にアトリビュートメモリ１１１内のデータを読み出して、ＩＣメモリカード１０１のそれまでの状態のデータを読み取り、又サーマルラベル１０７がどの様に書かれているかのデータと、書き込み速度判定の結果と比較し、第７ステップＳＴ7 の様にサーマルラベル１０７に書く必要があるか否かをＣＰＵ１１３で判断する。サーマルラベル１０７に書込む必要がなければエンドに至るが、必要があるＹＥＳの状態では第８ステップＳＴ8a，ＳＴ8b，ＳＴ8c‥‥に進んで夫々の判断結果に応じてサーマルヘッド１０４を駆動し、例えば劣化：軽（ＳＴ8b）劣化：重（ＳＴ8c）等のサーマルラベルを変色させる。又ＩＣメモリカード１０１を始めて使用する場合は使用中（ＳＴ8a）のサーマルラベルを変色させて使用の開始状態を示す。
【００５６】
次の第９ステップＳＴ9 では移行した新しいサーマルラベルのデータや書き込み、消去状況データをアトリビュートメモリ１１１に書き込んでエンドに至ることに成る。
【００５７】
尚、上述の実施例ではＩＣメモリカード内にＣＰＵ１１３を持ったものについて説明したがメモリライタ１０２側にＣＰＵ１１３を持たせてもよいことは明らかである。
【００５８】
【発明の効果】
本発明によれば、論理管理テーブルを設けることによって、論理番号からメインメモリの物理番号への変換を容易に行なうことができ、メインメモリをセクタ毎またはブロック毎に管理することができる。また、書き込みや消去の遅いセクタ（或はブロック）を未使用のセクタ（或はブロック）に置き換えことが出来るので全体として書き込み速度の低下を防ぐことの出来るメモリ媒体及びそのメモリ処理装置並びにデータ管理方法が得られる。さらに、物理管理テーブルを設けることによって、再書き込み回数、消去繰り返し回数或は使用状況フラグをセクタまたはブロック毎に管理することが出来るといった効果を有する。
【００５９】
また、ＩＣメモリカードの書き換えが一部のセクタ（或はブロック）に偏らないため、すべてのセクタ（或はブロック）を最後まで使えるのでトータルの書き換え使用回数を増加させることが出来る。更に書き込みや消去の遅いセクタ（或はブロック）を未使用のセクタ（或はブロック）に置き換えことが出来るので全体として書き込み速度の低下を防ぐことの出来るメモリ媒体及びそのメモリ処理装置並びにデータ管理方法が得られる。
【００６０】
更に、本発明を応用することにより、ＩＣメモリカード１０１が新品か、使用開始されたか、性能が低下したか、寿命切れで使用不能か等の区別がサーマルラベルの色や表示文字によってユーザが一目で解るように成り、重要データの保存に失敗したり書き込みが遅れたりすることがない。
【図面の簡単な説明】
【図１】本発明のカード状記録媒体に用いる物理セクタ管理テーブルエリアの詳細図である。
【図２】本発明のカード状記録媒体のメモリ配置図である。
【図３】本発明のカード状記録媒体の管理テーブルとメインメモリエリアの構成図である。
【図４】本発明のカード状記録媒体又は記録装置によるメモリの劣化判断を示す流れ図である。
【図５】本発明のカード状記録媒体とその記録装置の構成図である。
【図６】本発明のカード状記録媒体の表示状態図である。
【図７】本発明のカード状記録媒体のラベルの他の表示方法を示す図である。
【符号の説明】
２‥‥物理セクタ管理テーブルエリア、４‥‥論理セクタ番号、５‥‥書き換え使用回数、６‥‥再書き込み回数、７‥‥消去繰り返し回数、８‥‥使用状況フラグ、１０１‥‥ＩＣメモリカード、１０２‥‥カードライタ、１０４‥‥サーマルヘッド、１０７‥‥サーマルラベル
【図１】
0003705043.tif 000002
【図２】
0003705043.tif 000003
【図３】
0003705043.tif 000004
【図４】
0003705043.tif 000005
【図５】
0003705043.tif 000006
【図６】
0003705043.tif 000007
【図７】
0003705043.tif 000008